(57)【特許請求の範囲】
【請求項１】
天井板の下面に当接させるためのフランジ部を有するケーシングと、
上記ケーシングに収容される光源と、
一本のバネ用鋼線を中央部分で二つ折りにした状態で、開放側の一端をコイル状に巻回することでコイルバネ部を形成すると共に、上記開放側の一端が上記ケーシングに取り付けられ、閉鎖側の他端が初期状態において上記ケーシングのフランジ部よりも外側で且つ下方に位置し、一端側を回転軸にして他端を上方に回転させた状態において下方に付勢力を生じる一対の弾性バネとを備えた天井埋め込み型照明器具であって、
上記弾性バネは、上記ケーシングに取り付けた一端の近傍、一端と他端との中間部近傍、他端近傍をそれぞれ鈍角となるように下方に向けて折曲して形成した略弧状のアーム部を有し、
上記ケーシングが、本体部と、その本体部から上方に向かって延び、平行に配列される複数の放熱板とを備えており、
上記弾性バネのコイルバネ部が、上記本体部の上面の径方向中央部近傍に取り付けられると共に、上記アーム部が上記放熱板間を通って外側に延出され、
この天井埋め込み型照明器具の重量をＭとした場合、
上記弾性バネを上記天井板の取付孔に挿入し、上記弾性バネの他端と上記ケーシングのフランジ部とで上記天井板を挟持したときの上記弾性バネの付勢力が、上記天井板の厚みが０．５ｍｍのとき１．２Ｍ以上４Ｍ以下であり、上記天井板の厚みが２５ｍｍのとき３．０Ｍ以上１０Ｍ以下である
ことを特徴とする天井埋め込み型照明器具。
【請求項２】
上記弾性バネを上方に回転させ、上記天井板の取付孔よりも小径の円に収まるようにするために必要な力が、弾性バネの自由端側の先端から全長の半分までの距離において２５ｋｇＦ以下である
請求項１記載の天井埋め込み型照明器具。
【請求項３】
上記ケーシングが上方に向かって窄んでいる
請求項１または２記載の天井埋め込み型照明器具。
【請求項４】
上記ケーシングが略円柱状である
請求項１から３のいずれかに記載の天井埋め込み型照明器具。
【発明の詳細な説明】
【技術分野】
【０００１】
この発明は、天井板の取付孔に取り付ける天井埋め込み型照明器具に関する。
【背景技術】
【０００２】
一般に室内照明に用いられるダウンライトなどの照明器具は、天井板に埋め込み穴を設け、天井に埋め込むことによって天井にすっきりと取り付けられている。
特許文献１には、従来の天井埋め込み型の照明器具が開示されている。この照明器具は、下端にフランジ部を有するケーシングと、そのケーシングのフランジ部の上部近傍から斜め上方に向かって延びるとともに、互いにケーシングの対角線上に位置する一対の板バネとを備えており、板バネを内側に寄せた（ケーシングに近づけた）状態で照明器具を天井板の取付孔（埋め込み穴）に挿入することで、板バネの外側に広がろうとする付勢力と板バネの傾斜とを利用してケーシングを上方に持ち上げつつ、ケーシングのフランジ部で上方への移動を規制し、取付孔の開口部内面と板バネ側面との摩擦力と、前記板バネが外側に広がろうとする横方向の付勢力を板バネの傾斜面によって上方ベクトルに転換した力とで、照明器具の天井板への取り付けを行っている。
【先行技術文献】
【特許文献】
【０００３】
【特許文献１】特開平０４−０６２７０９号公報
【特許文献２】特開２００９−０８５４３２号公報
【発明の概要】
【発明が解決しようとする課題】
【０００４】
ところで、上記構成の照明器具では、天井板の厚みによっては安定した取り付けができないことがあった。すなわち、板バネが何ら外力を加えられていない初期状態において斜め上方に向いていることから、ケーシングのフランジ部の上面から板バネの外側面（下面）までの鉛直距離に比べて天井板の厚みが薄いと、天井板を付勢することができないのである。この場合、板バネの外側面が天井板に触れるまで下方に移動して初めて上記摩擦力を生じることとなるが、天井板の取付孔内面を外方向へ押し付ける板バネの付勢力をあまり得ることができないため、ぐらぐらな状態であり、また、天井板の下面にケーシングのフランジ部が当接していないことから取り付け不良の状態に陥ることとなる。
【０００５】
そこで特許文献１では、板バネのケーシングへの取り付けに際し、上下方向に長い長孔を用いることで、板バネの取り付け位置をある程度変えることができるようにし、天井板の厚みの変化に対応しようとしている。
【０００６】
しかしながら、天井板の厚みが変わるたびに、板バネの取り付け位置を調整していくことは煩雑である。また、板バネの付勢力は、主として、斜め上方へ折り返した屈曲部を支点とする延長部全体の撓み変形によってもたらされるものであって、折り曲げ加工で硬化し変形し難くなった屈曲部近傍で十分な付勢力を得ることは困難である。そのため、屈曲部近傍で取り付けを行おうとしても柔らかい弾性での摩擦力を生じさせることは難しい。
さらに、天井を金属製のシステム天井とし、不燃材料の天井板として、石膏ボードやケイ酸カルシウム板などのボードを使わず、鋼板、それも厚みの極めて薄い（例えば０．５ｍｍ）鋼板製天井板を用いた場合、取付孔の内径をケーシング対角線上の２つの板バネの離れ寸法とぎりぎりの径にすると、板バネの屈曲部が、ケーシングのフランジ部の上方に位置することから、板バネの屈曲部が上方に逃げてフランジ部と板バネ屈曲部の間に取付孔が位置して固定することができない。また、取付孔の内径をケーシング対角線上の２つ
の板バネの離れ寸法よりの大きい径とすると、ケーシングのフランジ部が天井板の下面と当接しない状態に陥ることとなる。このように、板バネが上向きに広がる形では十分に対応することができないのである。
【０００７】
ところで、照明器具の天井板取付構造において、バネが斜め下向きに広がる技術も僅かだが存在する。特許文献２には、初期状態において斜め下方に向いた弾性バネを備え、この弾性バネとケーシングのフランジ部とで天井板を挟持することで、天井板への取り付けができる照明器具が開示されている。この照明器具は、取付時（取付孔への挿入時）において支持手段（弾性バネ）の外向きへの移動を防止するリテイナーと、ケーシング内部からリテイナーを解除する仕組みを備えている。しかしながら、このような照明器具も、天井板にある程度の厚みがある場合に初めて弾性バネからの十分な付勢力が得られる、すなわち、弾性バネを初期状態からある程度上方に回転させたときに初めて取り付けに必要な付勢力が得られるものであって、厚みの極めて薄い天井板にこのまま適用するすると安定した取り付けができない場合がある。また、リテイナーを備えているので、取付孔に挿入するのは容易ではあるが、リテイナーを解除して初めて取り付けが完了するものであるため、解除作業が完了するまで照明器具を上向きに保持し続けなければならず、誤ってケーシングごと落下させる恐れがある。また、リテイナー解除により弾性バネが勢い良く天井板の上面にぶつかるため、薄い鋼板である天井板に凹みをつける恐れもある。
【０００８】
なお、例えば予め専用の固定金具を天井板に取り付けておき、その固定金具にネジ止めするようにすれば、天井板の厚みに関わらず照明器具を取り付けることが可能である。ただ、ネジ止めとなると作業に時間がかかってしまう。また、ネジ止め部分を天井裏に設ける場合には、器具ごとに作業者が天井内にもぐる必要があり、取付作業はより煩雑なものとなる。ねじ止めを天井下からドライバーで行う場合も、天井内の固定金具との位置合わせが不可視なので困難であり、結局のところ、天井内で目視が必要となる。
【０００９】
そこで、本発明は、天井板の厚みに関わらず、簡単に且つ安定した取り付けを行うことのできる天井埋め込み型照明器具の提供を目的とする。
【課題を解決するための手段】
【００１０】
上記課題を解決するため、本発明の天井埋め込み型照明器具１、１Ａは、天井板１００の下面に当接させるためのフランジ部２３を有するケーシング２０と、上記ケーシング２０に収容される光源１０と、一端が上記ケーシング２０に取り付けられ、他端が初期状態において上記ケーシング２０のフランジ部２３よりも外側で且つ下方に位置し、一端側を回転軸にして他端を上方に回転させた状態において下方に付勢力を生じる弾性バネ３０とを備えた天井埋め込み型照明器具１、１Ａであって、この天井埋め込み型照明器具１、１Ａの重量をＭ（ｋｇ）とした場合、上記弾性バネ３０を上記天井板１００の取付孔１１０に挿入し、上記弾性バネ３０の他端と上記ケーシング２０のフランジ部２３とで上記天井板１００を挟持したときの上記弾性バネ３０の付勢力が、上記天井板１００の厚みが０．５ｍｍのとき１．２Ｍ（ｋｇＦ）以上４Ｍ（ｋｇＦ）以下であり、上記天井板１００の厚みが２５ｍｍのとき３．０Ｍ（ｋｇＦ）以上１０Ｍ（ｋｇＦ）以下であることを特徴とする。
【００１１】
上記弾性バネを上方に回転させ、上記天井板の取付孔よりも小径の円に収まるようにするために必要な力が、弾性バネ３０の自由端側の先端から全長Ｌ１の半分までの距離において２５ｋｇＦ以下であることが好ましい。
【００１２】
上記弾性バネ３０の一端が上記ケーシング２０の外径方向中央部近傍に取り付けられていることが好ましい。
【００１３】
上記ケーシング２０が上方に向かって延びる複数の放熱板２４を備えており、上記弾性バネ３０が上記放熱板２４、２４間を通って外側に延出されていることが好ましい。
【００１４】
上記ケーシング２０が上方に向かって窄んでいることが好ましい。
【００１５】
上記ケーシング２０が略円柱状であることが好ましい。
【発明の効果】
【００１６】
本発明の天井埋め込み型照明器具では、ケーシングのフランジ部と弾性バネとの間で天井板を挟持することで天井板への取り付けができるため、取付作業が簡単である。また、天井埋め込み型照明器具の重量をＭ（ｋｇ）とした場合、弾性バネの他端とケーシングのフランジ部とで天井板を挟持したときの弾性バネの付勢力が、天井板の厚みが０．５ｍｍのときで１．２Ｍ（ｋｇＦ）以上４Ｍ（ｋｇＦ）以下であるため、厚みの極めて薄い天井板であっても確実に挟持することができる。また、付勢力が照明器具の重量を上回っているため、定常時は勿論のこと、地震等の揺れが加わったとしても安定した取り付け状態を維持することができる。
【００１７】
弾性バネを上方に回転させ、天井板の取付孔よりも小径の円に収まるようにするために必要な力が２５ｋｇＦ以下であれば、弾性バネを取付孔に挿入する際、成人男性の平均握力よりも下回るので、作業を簡単に行うことができる。
【００１８】
弾性バネの一端をケーシングの中央部近傍に取り付けていれば、弾性バネの一端をケーシングの外周に取り付けている場合に比べて、照明器具を天井板の取付孔に挿入するにあたっての弾性バネの回転角を小さくすることができる。そのため、弾性バネを回転させるために必要な力が小さくて済み、取付作業を簡単に行うことができる。
【００１９】
弾性バネを、放熱板間を通って外側に延出させていれば、放熱板との干渉を避けるために放熱板上に弾性バネを取り付けた場合に比べて、弾性バネの取り付け位置を低くすることができ、弾性バネの回転角を小さくすることができる。そのため、弾性バネを回転させるために必要な力がより小さくて済み、取付作業を簡単に行うことができる。
【００２０】
ケーシングが上方に向かって窄んでいれば、天井板の取付孔に挿入し易くなり、作業性が向上する。
【００２１】
ケーシングが略円柱状であれば、一般的に略円形とされる天井板の取付孔に挿入し易くなり、作業性が向上する。
【図面の簡単な説明】
【００２２】
【図１】この発明の一実施形態に係る天井埋め込み型照明器具の断面図である。
【図２】同じくその天井埋め込み型照明器具の側面図である。
【図３】同じくその天井埋め込み型照明器具の平面図及び底面図である。
【図４】天井埋め込み型照明器具の天井板への取り付け過程を示す概略図である。
【図５】この発明の他の実施形態に係る天井埋め込み型照明器具の断面図である。
【図６】同じくその天井埋め込み型照明器具の側面図及び平面図である。
【発明を実施するための形態】
【００２３】
次に、この発明の天井埋め込み型照明器具１の一実施形態を図面に基づいて詳細に説明する。この発明の天井埋め込み型照明器具１は、図１に示すように、光源１０と、ケーシング２０と、一対の弾性バネ３０、３０とから構成されている。
【００２４】
光源１０は、例えばＬＥＤ素子１１と、このＬＥＤ素子１１を取り付けるための基板１２と、ＬＥＤ素子１１からの光を反射させるための反射板１３とからなる。基板１２はＬＥＤ素子１１や自身からの発熱をケーシング２０に伝達するため、図１に示すように、その上面がケーシング２０に当接している。また、光源１０の下方には、光源１０からの光を適宜拡散するためのレンズ４０が取り付けられている。
【００２５】
ケーシング２０は、例えばアルミニウムなどの金属製であって、図１に示すように、上方に底部２１を有し、且つその内部に光源１０を収容可能な略円柱状の収納空間２２ａを有する略円筒状の本体部２２と、本体部２２の下端から側方に延出され、天井板１００の取付孔１１０よりも大径とされたフランジ部２３と、本体部２２の底部２１から上方に延出された複数の放熱板２４とから構成されている。放熱板２４は、図２ａ、ｂや図３ａに示すように、互いに略平行となるようにして延出されており、放熱板２４、２４間には略同一方向に並ぶ隙間２５が形成されている。また、放熱板２４は平面視、ケーシング２０の底部２１の上面中央部近傍には設けられておらず、この放熱板２４が設けられていない部分が、弾性バネ３０を取り付けるための空間２６となっている（図１参照）。
【００２６】
また、本体部２２と放熱板２４は、図２ａ、ｂに示すように、上に向かうにつれて細くなっており、ケーシング２０全体としては、上方に向かって窄んだ形状となっている。なお、本体部２２と放熱板２４は最も太い下端においても、天井板１００の取付孔１１０よりも小径とされている。
【００２７】
弾性バネ３０は、太さ１ｍｍ程度のバネ用鋼線を適宜折曲加工することで構成されている。具体的には、１本のバネ用鋼線を中央部分で二つ折りにした状態において、図１に示すように、開放側の端部をコイル状に巻回することでコイルバネ部３１を形成するとともに、コイルバネ部３１の近傍、コイルバネ部３１と閉鎖側の端部との中間部近傍、閉鎖側の端部近傍をそれぞれ鈍角となるように下方に向けて折曲して略弧状のアーム部３２を形成することで、弾性バネ３０が構成されている。
【００２８】
弾性バネ３０のコイルバネ部３１は、図１に示すように、上記の放熱板２４が設けられていない部分（空間）２６に収容されている。弾性バネ３０のケーシング２０への固定は、コイルバネ部３１の終端部３１ａ（図１において点線で示す部分）をケーシング２０の底部２１に挿入するとともに、蓋体５０によって上からコイルバネ部３１を覆うことで行う。このように固定することで、アーム部３２の上方への回転にコイルバネ部３１及びアーム部３２自身の反発力で抵抗する、換言すれば、コイルバネ部３１を回転軸としてアーム部３２を上方に回転させた状態において下方に付勢力を生じるようになっている。なお、この蓋体５０には、図３ａに示すように、アーム部３２の上方への回転を許容するため、アーム部３２の回転軌道に沿ってスリット５１が形成されている。
【００２９】
また、アーム部３２は、図２ｂや図３ａに示すように、放熱板２４、２４間の隙間２５を通って外側に延出されているが、この隙間２５と略平行となるように配置されているため、回転に際して放熱板２４と干渉することはない。アーム部３２の先端は、図１や図２ａ、ｂに示すように、何ら外力を加えていない初期状態においてケーシング２０のフランジ部２３よりも外側で且つ下方に位置している。なお、上記の通り、アーム部３２が弧状に形成されているため、弾性バネ３０がケーシング２０の底部２１の中央部近傍に固定されていても、難なくアーム部３２の先端をフランジ部３２の下方に位置させることができる。また、弾性バネ３０の回転中心からレンズ４０までの距離よりも、弾性バネ３０の回転中心からアーム部３２の先端までの距離が長いため、アーム部３２の先端がレンズ４０に接触して傷つけることもない。
【００３０】
上記構成の天井埋め込み型照明器具１は、以下の手順により、天井板１００に固定され
る。まず、一対の弾性バネ３０、３０を互いに近接させるようにして、アーム部３２を、コイルバネ部３１を回転軸として上方に向かって回転させる。この際、アーム部３２が、平面視、天井板の取付孔よりも小径の円に収まるまで回転させる。なお、この回転に必要な力は、弾性バネ３０の自由端側の先端から固定端（コイルバネ部３１）とを結んだ直線の長さＬ１を弾性バネ３０の全長とした場合、弾性バネ３０の自由端側の先端から全長Ｌ１の半分までの距離において、２５ｋｇＦ（ひとつの弾性バネにつき１２．５ｋｇＦ）以下である。なお、弾性バネ３０の全長Ｌ１は５０〜７０ｍｍである。このようにバネの戻りトルクを規定することで、成人男性であれば施工時にらくらく握って天井の取付孔１１０に挿通することができつつ、天井設置時の挟持力も有効に天井板１００に作用することになる。また、弾性バネ３０は、上記の通り太さ１ｍｍ程度と小径であるため、図４ａに示すように、アーム部３２、３２同士を交差させることが可能である。
【００３１】
また、本発明の天井埋め込み型照明器具１は、弾性バネ３０の取り付け位置が、ケーシング２０の底部２１の中央部近傍にあるため、取り付け位置がケーシング２０の外周部にあるものと比べて弾性バネ３０を上方に回転させる角度が小さくて済む。つまり、バネの巻き進めるトルクをその回転角度分小さくすることができ、取付孔１１０への装着時に無駄な作業力が必要なくなるだけでなく、巻き戻りの角度も小さくなるので、天井設置の際の巻き戻り時のトルクも確保できることとなる。
【００３２】
その後、図４ｂに示すように、アーム部３２の先端を、天井板１００に設けられた取付孔１１０に差し入れ（挿入し）、弾性バネ３０の回転を解除する。すると、アーム部３２の反発力、コイルバネの反発力によって、アーム部３２が元の位置まで戻ろうとする結果、ケーシング２０が上方に持ち上げられて、放熱板２４や本体部２２が取付孔１１０に挿入される。また、フランジ部２３の上面が天井板１００の下面に当接することで、最終的にケーシング２０のフランジ部２３と弾性バネ３０の先端とによって天井板１００が挟持され、天井板１００への天井埋め込み型照明器具１の固定が完了する（図４ｃ〜４ｅ参照）。
【００３３】
ところで、弾性バネ３０の付勢力（挟持力）は、アーム部３２やコイルバネ部３１の変形量によって左右されるため、天井板１００の厚みによって変化することになるが、例えばシステム天井の天井板１００として用いられる鋼板の厚みｔ１（０．５ｍｍ）の場合で約０．３６ｋｇＦ（ひとつの弾性バネにつき約０．１８ｋｇＦ）以上、一般的な天井に用いられるケイ酸カルシウム板の厚みｔ２（２５ｍｍ）の場合で約０．８６ｋｇＦ（ひとつの弾性バネにつき約０．４３ｋｇＦ）以上とすることが好ましい。これは、単純に重量分を反力として持ち上げつつ天井板１００とフランジ部２３との間の摩擦力で少しの横応力に耐えうる力である。なお、天井埋め込み型照明器具１の重量Ｍは約０．１８〜０．２８ｋｇであるから、Ｍを基準に弾性バネ３０の付勢力を表すと、天井板１００の厚みが０．５ｍｍの場合で約１．２Ｍとなり、２５ｍｍの場合で約３．０Ｍ（いずれもＭ＝０．２８ｋｇの場合）となる。上限は、平成８年制定の総合耐震基準に基づき、水平震度１．５〜２Ｇから横方向の摩擦力も勘案し３倍の加速度を考慮して、天井板１００の厚みが０．５ｍｍの場合で約３．６Ｍ→４Ｍとし、厚みが２５ｍｍの場合で約９Ｍ→１０Ｍとすることが好ましい。
【００３４】
このように、付勢力を照明器具１の重量よりも余裕を持って大としていれば、地震等の揺れが加わったとしても安定した取り付けが可能となり、耐震性を確保することができる。また、耐震性に特に着目するのであれば、例えば、照明器具１に２Ｇの水平加速度が加わった場合に生じる鉛直力を上回るように付勢力を設定しても良い。
【００３５】
なお、付勢力が大きければ大きいほどしっかりと固定できるが、その分、アーム部３２を上方に回転させることが困難となり、作業性に劣ることになる。特に天井一面に多数（
例えば数百〜数万）取り付けなければならない場合には、重要な要素となる。そこで、一対の弾性バネ３０のそれぞれのアーム部３２の先端が、天井板の取付孔よりも小径の円に収まるまで回転させた場合の弾性バネ３０の反力が２５ｋｇＦ以下（ひとつ当たり１２．５ｋｇＦ以下）となるように設定することが好ましい。
【００３６】
図５は、本発明の異なる実施形態に係る天井埋め込み型照明器具１Ａを示す断面図である。この天井埋め込み型照明器具１Ａは、弾性バネ３０Ａの取り付け位置が、ケーシング２０の底部２１の中央部近傍ではなく外周部にあるところに特徴を有する。このように、弾性バネ３０Ａの取り付け位置をケーシング２０の外周部とすることで、弾性バネ３０Ａを短くすることができる。
【００３７】
また本実施形態では、放熱板２４Ａが平面視、略長方形状となるように並んで設けられている点も特徴のひとつである（図６ｂ参照）。さらに、弾性バネ３０Ａの形状も上記実施形態とは異なっている。具体的には、本実施形態の場合、図６ａ、ｂに示すように、アーム部３２の中央部近傍の折曲角度が浅く、またアーム部３２の先端部が外側に向かってさらに折曲されており、天井面との当接面積が広くなるようになっている。
【００３８】
なお、他の部分については、上記実施形態と略同様の構成であるため、同符号を付し詳細な説明は省略する。
【００３９】
以上に、この発明の実施形態について説明したが、この発明は上記実施形態に限定されるものではなく、この発明の範囲内で種々変更して実施することが可能である。
【符号の説明】
【００４０】
１、１Ａ・・天井埋め込み型照明器具
１０・・光源
１１・・ＬＥＤ素子
１２・・基板
１３・・反射板
２０・・ケーシング
２１・・底部
２２・・本体部
２２ａ・・収納空間
２３・・フランジ部
２４、２４Ａ・・放熱板
２５・・隙間
２６・・空間
３０、３０Ａ・・弾性バネ
３１・・コイルバネ部
３１ａ・・終端部
３２・・アーム部
４０・・レンズ
５０・・蓋体
５１・・スリット
１００・・天井板
１１０・・取付孔
ｔ１・・鋼板の厚み
ｔ２・・ケイ酸カルシウム板の厚み
Ｍ・・埋め込み型照明器具の重量
Ｌ１・・弾性バネの全長
【図１】
0006713305.tif 000002
【図２】
0006713305.tif 000003
【図３】
0006713305.tif 000004
【図４】
0006713305.tif 000005
【図５】
0006713305.tif 000006
【図６】
0006713305.tif 000007